(57)【要約】【課題】繊維品を、オゾン含有液を用いて効率よく処理することができ、しかも得られた漂白繊維品が経時的に黄変しにくい、優れた漂白処理繊維品の製法、およびそれに用いる装置、並びに上記製法によって得られる漂白繊維品を提供する。【解決手段】処理槽１内に、繊維品４をパッケージ化した状態で装填して繊維品４に水分を付与した後、オゾン含有液を、上記水分が付与された繊維品４の内外を強制循環させることにより、繊維品４に漂白処理を施す工程と、５０℃以上の加温水を、上記漂白処理後の繊維品４の内外を強制循環させることにより、上記繊維品４に黄変処理を施す工程と、オゾン分解用薬液を、上記黄変処理後の繊維品４の内外を強制循環させることにより、繊維品４の黄変除去とオゾン分解を同時に行う工程とを備え、かつ、処理槽１内のオゾン濃度を一定に保つようにした。【選択図】図１
2008240224.tif 000002
【特許請求の範囲】
【請求項１】
天然繊維および再生繊維の少なくとも一方を主体とする繊維品に漂白処理を施して漂白繊維品を得る方法であって、開閉蓋付密封容器からなる処理槽内に、上記繊維品を装填する工程と、処理液を、上記処理槽に付設された強制循環配管を経由させて、処理槽内に装填された繊維品と接触させながら強制循環させることにより、繊維品に水分を付与する工程と、上記処理液中にオゾンガスを供給してオゾン含有液とし、このオゾン含有液を、上記強制循環配管を経由させて、上記水分が付与された繊維品と接触させながら強制循環させることにより、繊維品に漂白処理を施す工程と、オゾン分解用薬液を、上記強制循環配管を経由させて上記漂白処理後の繊維品と接触させながら強制循環させることにより、オゾン分解を行う工程と、上記オゾン分解後の繊維品を洗浄処理する工程とを備え、上記繊維品の漂白処理工程において、処理槽内のオゾン濃度を経時的に計測し、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つようにしたことを特徴とする漂白繊維品の製法。
【請求項２】
天然繊維および再生繊維の少なくとも一方を主体とする繊維品に漂白処理を施して漂白繊維品を得る方法であって、開閉蓋付密封容器からなる処理槽内に、上記繊維品を装填する工程と、処理液を、上記処理槽に付設された強制循環配管を経由させて、処理槽内に装填された繊維品と接触させながら強制循環させることにより、繊維品に水分を付与する工程と、上記処理液中にオゾンガスを供給してオゾン含有液とし、このオゾン含有液を、上記強制循環配管を経由させて、上記水分が付与された繊維品と接触させながら強制循環させることにより、繊維品に漂白処理を施す工程と、５０℃以上の加温水を、上記強制循環配管を経由させて上記漂白処理後の繊維品と接触させながら強制循環させることにより、上記繊維品に黄変処理を施す工程と、オゾン分解用薬液を、上記強制循環配管を経由させて上記黄変処理後の繊維品と接触させながら強制循環させることにより、繊維品の黄変除去とオゾン分解を同時に行う工程と、上記黄変除去とオゾン分解後の繊維品を洗浄処理する工程とを備え、上記繊維品の漂白処理工程において、処理槽内のオゾン濃度を経時的に計測し、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つようにしたことを特徴とする漂白繊維品の製法。
【請求項３】
上記処理槽として、繊維品をパッケージ化した状態で処理を行うパッケージ型の処理槽を用い、上記処理液、オゾン含有液、加温水、オゾン分解用薬液の各液を、パッケージ化された繊維品の内外を繰り返し通過させながら強制循環させることにより、繊維品と接触させるようにした請求項１または２記載の漂白繊維品の製法。
【請求項４】
上記処理槽として、繊維品をロープ状にして液流によって移送しながら処理を行う液流型の処理槽を用い、上記処理液、オゾン含有液、加温水、オゾン分解用薬液の各液を、ロープ状の繊維品を移送するための液流として用いながら強制循環させることにより、繊維品と接触させるようにした請求項１または２記載の漂白繊維品の製法。
【請求項５】
上記処理槽として、繊維品を回転ドラム内で動かしながら処理を行うワッシャー型の処理槽を用い、上記処理液、オゾン含有液、加温水、オゾン分解用薬液の各液を、上記回転ドラム内外を強制循環させることにより、繊維品と接触させるようにした請求項１または２記載の漂白繊維品の製法。
【請求項６】
上記オゾン含有液におけるオゾン濃度が１０〜３００ｇ／Ｎｍ3 に設定されており、強制循環によるオゾン含有液の流量が、対象とする繊維品１ｋｇ当たり１５〜９０リットル／分に設定されている請求項１〜５のいずれか一項に記載の漂白繊維品の製法。
【請求項７】
上記オゾン分解用薬液として、過酸化水素とアルカリ剤を主成分とする薬液を用いるようにした請求項１〜６のいずれか一項に記載の漂白繊維品の製法。
【請求項８】
上記オゾン分解用薬液として、まず、還元剤を主成分とする第１の薬液を用い、ついで過酸化水素とアルカリ剤を主成分とする第２の薬液を用いるようにした請求項１〜６のいずれか一項に記載の漂白繊維品の製法。
【請求項９】
上記処理槽外に排出されるオゾン含有の排液および処理槽外に排出されるオゾン含有の排ガスを、アルカリ水溶液貯槽内に導入し、排液および排ガスに含有されるオゾンを、上記アルカリ水溶液中で分解させるようにした請求項１〜８のいずれか一項に記載の漂白繊維品の製法。
【請求項１０】
上記アルカリ水溶液貯槽内の、液面から上に溜まるガスを捕集して２００℃以上に加熱された煙突内に導入し、上記捕集ガスに含有されるオゾンを、上記煙突内の熱により熱分解させるようにした請求項１〜９のいずれか一項に記載の漂白繊維品の製法。
【請求項１１】
請求項１記載の漂白繊維品の製法に用いる装置であって、開閉蓋付密封容器からなる処理槽と、上記処理槽内に繊維品を装填するための繊維品保持手段と、上記処理槽内に装填された繊維品に液体を導入するための液体導入手段と、上記処理槽内に導入された液体を上記処理槽内から取り出して再び処理槽内に導入することを繰り返し、処理槽内に装填された繊維品と液体とを接触させるための液体強制循環配管と、上記液体強制循環配管を循環する液体にオゾンガスを供給して漂白処理のためのオゾン含有液を調製するオゾンガス供給手段と、同じく上記液体強制循環配管を循環する液体にオゾン分解用薬剤を投入して、オゾン分解を行うためのオゾン分解用薬液を調製する薬液調製手段と、上記処理槽内の液体を処理槽外に排出するための液体排出配管と、上記処理槽内のガスを処理槽外に排出するためのガス排出配管とを備え、上記処理槽には、処理槽内のオゾン濃度を経時的に計測するためのオゾン濃度センサが設けられ、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つ濃度制御が行われるようになっていることを特徴とする繊維品の漂白装置。
【請求項１２】
請求項２記載の漂白繊維品の製法に用いる装置であって、開閉蓋付密封容器からなる処理槽と、上記処理槽内に繊維品を装填するための繊維品保持手段と、上記処理槽内に装填された繊維品に液体を導入するための液体導入手段と、上記処理槽内に導入された液体を上記処理槽内から取り出して再び処理槽内に導入することを繰り返し、処理槽内に装填された繊維品と液体とを接触させるための液体強制循環配管と、上記液体強制循環配管を循環する液体にオゾンガスを供給して漂白処理のためのオゾン含有液を調製するオゾンガス供給手段と、同じく上記液体強制循環配管を循環する液体を５０℃以上に加温して黄変処理のための加温水を調製する加温手段と、同じく上記液体強制循環配管を循環する液体にオゾン分解用薬剤を投入して、黄変除去とオゾン分解を同時に行うためのオゾン分解用薬液を調製する薬液調製手段と、上記処理槽内の液体を処理槽外に排出するための液体排出配管と、上記処理槽内のガスを処理槽外に排出するためのガス排出配管とを備え、上記処理槽には、処理槽内のオゾン濃度を経時的に計測するためのオゾン濃度センサが設けられ、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つ濃度制御が行われるようになっていることを特徴とする繊維品の漂白装置。
【請求項１３】
上記処理槽が、繊維品をパッケージ化した状態で処理を行うパッケージ型の処理槽であり、上記液体強制循環配管によって強制循環される液体が、パッケージ化された繊維品の内外を繰り返し通過して繊維品と接触するようになっている請求項１１または１２記載の繊維品の漂白装置。
【請求項１４】
上記処理槽が、繊維品をロープ状にして液流によって移送しながら処理を行う液流型の処理槽であり、上記液体強制循環配管によって強制循環される液体が、ロープ状の繊維品を移送するための液流として用いられて繊維品と接触するようになっている請求項１１または１２記載の繊維品の漂白装置。
【請求項１５】
上記処理槽が、繊維品を回転ドラム内で動かしながら処理を行うワッシャー型の処理槽であり、上記液体強制循環配管によって強制循環される液体が、上記回転ドラム内外を強制循環して繊維品と接触するようになっている請求項１１または１２記載の繊維品の漂白装置。
【請求項１６】
上記オゾンガス供給手段として、オゾンガス発生装置と、このオゾンガス発生装置から延びるオゾンガス供給配管と、エジェクタ、渦流ポンプ、ミキシングポンプのいずれかからなる気液混合吐出手段とが設けられ、オゾンガスが、上記気液混合吐出手段を介して、上記循環液体中に微細気泡化した状態で供給されるようになっている請求項１１〜１５のいずれか一項に記載の繊維品の漂白装置。
【請求項１７】
上記液体排出配管の先端およびガス排出配管の先端が、ともにアルカリ水溶液貯槽内に連通されるようになっている請求項１１〜１６のいずれか一項に記載の繊維品の漂白装置。
【請求項１８】
上記アルカリ水溶液貯槽内の、液面から上に溜まるガスが捕集され、２００℃以上に加熱された煙突内に送入されるようになっている請求項１１〜１７のいずれか一項に記載の繊維品の漂白装置。
【請求項１９】
上記処理槽の内周面と、オゾン含有液体およびオゾン含有ガスが流通する配管の内周面とが、ともにフッ素系樹脂によってコーティングされている請求項１１〜１８のいずれか一項に記載の繊維品の漂白装置。
【請求項２０】
請求項１〜１０のいずれかの製法によって得られることを特徴とする漂白繊維品。
【請求項２１】
製造後、２０〜３０℃の雰囲気下で６０日間放置後の白度（ＪＩＳ−１９９１法に従う）が、６０以上である請求項２０記載の漂白繊維品。
【発明の詳細な説明】
【技術分野】
【０００１】
本発明は、布帛等の繊維品を漂白して得られる漂白繊維品の製法およびそれに用いる装置、並びにそれによって得られる漂白繊維品に関するものである。
【背景技術】
【０００２】
従来から、繊維品に対する漂白処理には、次亜塩素酸ナトリウムや亜塩素酸ナトリウムといった塩素系漂白剤が多く用いられてきた。しかしながら、これらの塩素系漂白剤を用いた漂白処理工程では、毒性の強い塩素系化合物を含有する処理液が排出されるおそれがあるため、厳しい監視システムや処理設備が必要となり、多大なコストがかかるという問題がある。
【０００３】
そこで、最近では、上記塩素系漂白剤に代えて、より環境に優しい過酸化水素を用いた漂白が多く行われるようになってきている。しかし、上記過酸化水素は、金属イオンが存在すると、その触媒作用で分解して繊維品を脆化する等の理由から、繊維の風合いが悪くなるという問題がある。また、これら従来の漂白処理では、漂白剤だけでなく精錬剤を組み合わせた薬剤を含む処理液に、例えば８０〜１２０℃という高温下で長時間、繊維を浸漬して処理を行うため、薬剤コストおよびエネルギーコストが非常に高くつき、またエコロジー的にも問題である。
【０００４】
一方、全く新しい漂白方法として、オゾン（Ｏ3 ）を用いた方法が提案され、一部で実用化されている（特許文献１〜３参照）。
【特許文献１】特開平９−３１８４０号公報
【特許文献２】特開２００１−１６４４５８公報
【特許文献３】特開平７−１１５６５号公報
【発明の開示】
【発明が解決しようとする課題】
【０００５】
上記オゾンは、自然界にも存在する安全な物質で、放置しておくと自己分解して酸素（Ｏ2 ）となり、その毒性が残留しないという特徴を有する。したがって、前記塩素系漂白剤等のように、排水処理等に多大なコストをかける必要がないという利点を有する。
【０００６】
しかし、上記特許文献１、２に記載された漂白方法は、いずれも、帯状の繊維品を連続的に走行させ、その途中、処理槽内でオゾン含有ガスに接触させるようにしているため、繊維品が処理槽を出入りする開口部において、オゾン含有ガスが周囲に漏れないよう機密性を保つことが必要となり、高度な組立技術、保全技術が要求される。オゾンは、いくら自己分解するといっても、未分解の状態では有毒ガスであるため、厳しい環境基準が設けられているからである。特に、オゾン含有ガスを用いて漂白された繊維は、経時的に黄変しやすいことから、上記黄変を防止するために、文献１では、漂白処理後の繊維品を湯洗することが提案され、文献２では、漂白処理後の繊維品を、さらに過酸化水素で補助漂白することが提案されている。このため、未反応のオゾンが残留する繊維品を、これらの工程に移動させなければならず、オゾン含有ガス密封化の負担が大きく、実用的でない。しかも、これらの方法によっても、繊維品の経時的な黄変を完全に防止することはできない。
【０００７】
一方、上記特許文献３に記載された漂白装置は、パッケージ化された繊維品をバッチ式の処理槽内で処理するようにしたもので、オゾンを含有する処理液を強制循環させて繊維品に接触させることにより漂白処理を行うようになっている。この装置によれば、オゾンが外部に漏れにくいものの、実際に、どのような処理条件でオゾン漂白を行い、またどのようにしてオゾン漂白後の繊維の経時的な黄変を防止するか、等についての検討が不充分で、実用的でない。
【０００８】
本発明は、このような事情に鑑みなされたもので、繊維品を、オゾン含有液を用いて効率よく処理することができ、しかも得られた漂白繊維品が経時的に黄変しにくい、優れた漂白処理繊維品の製法およびそれに用いる装置、並びに上記製法によって得られる漂白繊維品の提供を、その目的とする。
【課題を解決するための手段】
【０００９】
上記の目的を達成するため、本発明は、天然繊維および再生繊維の少なくとも一方を主体とする繊維品に漂白処理を施して漂白繊維品を得る方法であって、開閉蓋付密封容器からなる処理槽内に、上記繊維品を装填する工程と、処理液を、上記処理槽に付設された強制循環配管を経由させて、処理槽内に装填された繊維品と接触させながら強制循環させることにより、繊維品に水分を付与する工程と、上記処理液中にオゾンガスを供給してオゾン含有液とし、このオゾン含有液を、上記強制循環配管を経由させて、上記水分が付与された繊維品と接触させながら強制循環させることにより、繊維品に漂白処理を施す工程と、オゾン分解用薬液を、上記強制循環配管を経由させて上記漂白処理後の繊維品と接触させながら強制循環させることにより、オゾン分解を行う工程と、上記オゾン分解後の繊維品を洗浄処理する工程とを備え、上記繊維品の漂白処理工程において、処理槽内のオゾン濃度を経時的に計測し、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つようにした漂白繊維品の製法を第１の要旨とする。
【００１０】
また、本発明は、天然繊維および再生繊維の少なくとも一方を主体とする繊維品に漂白処理を施して漂白繊維品を得る方法であって、開閉蓋付密封容器からなる処理槽内に、上記繊維品を装填する工程と、処理液を、上記処理槽に付設された強制循環配管を経由させて、処理槽内に装填された繊維品と接触させながら強制循環させることにより、繊維品に水分を付与する工程と、上記処理液中にオゾンガスを供給してオゾン含有液とし、このオゾン含有液を、上記強制循環配管を経由させて、上記水分が付与された繊維品と接触させながら強制循環させることにより、繊維品に漂白処理を施す工程と、５０℃以上の加温水を、上記強制循環配管を経由させて上記漂白処理後の繊維品と接触させながら強制循環させることにより、上記繊維品に黄変処理を施す工程と、オゾン分解用薬液を、上記強制循環配管を経由させて上記黄変処理後の繊維品と接触させながら強制循環させることにより、繊維品の黄変除去とオゾン分解を同時に行う工程と、上記黄変除去とオゾン分解後の繊維品を洗浄処理する工程とを備え、上記繊維品の漂白処理工程において、処理槽内のオゾン濃度を経時的に計測し、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つようにした漂白繊維品の製法を第２の要旨とする。
【００１１】
そして、本発明は、それらのなかでも、特に、上記処理槽として、繊維品をパッケージ化した状態で処理を行うパッケージ型の処理槽を用い、上記処理液、オゾン含有液、加温水、オゾン分解用薬液の各液を、パッケージ化された繊維品の内外を繰り返し通過させながら強制循環させることにより、繊維品と接触させるようにした漂白繊維品の製法を第３の要旨とし、上記処理槽として、繊維品をロープ状にして液流によって移送しながら処理を行う液流型の処理槽を用い、上記処理液、オゾン含有液、加温水、オゾン分解用薬液の各液を、ロープ状の繊維品を移送するための液流として用いながら強制循環させることにより、繊維品と接触させるようにした漂白繊維品の製法を第４の要旨とし、上記処理槽として、繊維品を回転ドラム内で動かしながら処理を行うワッシャー型の処理槽を用い、上記処理液、オゾン含有液、加温水、オゾン分解用薬液の各液を、上記回転ドラム内外を強制循環させることにより、繊維品と接触させるようにした漂白繊維品の製法を第５の要旨とする。
【００１２】
さらに、本発明は、それらのなかでも、特に、上記オゾン含有液におけるオゾン濃度が１０〜３００ｇ／Ｎｍ3 に設定されており、強制循環によるオゾン含有液の流量が、対象とする繊維品１ｋｇ当たり１５〜９０リットル／分に設定されている漂白繊維品の製法を第６の要旨とし、上記オゾン分解用薬液として、過酸化水素とアルカリ剤を主成分とする薬液を用いるようにした漂白繊維品の製法を第７の要旨とし、上記オゾン分解用薬液として、まず、還元剤を主成分とする第１の薬液を用い、ついで過酸化水素とアルカリ剤を主成分とする第２の薬液を用いるようにした漂白繊維品の製法を第８の要旨とする。
【００１３】
そして、本発明は、それらのなかでも、特に、上記処理槽外に排出されるオゾン含有の排液および処理槽外に排出されるオゾン含有の排ガスを、アルカリ水溶液貯槽内に導入し、排液および排ガスに含有されるオゾンを、上記アルカリ水溶液中で分解させるようにした漂白繊維品の製法を第９の要旨とし、上記アルカリ水溶液貯槽内の、液面から上に溜まるガスを捕集して２００℃以上に加熱された煙突内に導入し、上記捕集ガスに含有されるオゾンを、上記煙突内の熱により熱分解させるようにした漂白繊維品の製法を第１０の要旨とする。
【００１４】
また、本発明は、上記第１の要旨である漂白繊維品の製法に用いる装置であって、開閉蓋付密封容器からなる処理槽と、上記処理槽内に繊維品を装填するための繊維品保持手段と、上記処理槽内に装填された繊維品に液体を導入するための液体導入手段と、上記処理槽内に導入された液体を上記処理槽内から取り出して再び処理槽内に導入することを繰り返し、処理槽内に装填された繊維品と液体とを接触させるための液体強制循環配管と、上記液体強制循環配管を循環する液体にオゾンガスを供給して漂白処理のためのオゾン含有液を調製するオゾンガス供給手段と、同じく上記液体強制循環配管を循環する液体にオゾン分解用薬剤を投入して、オゾン分解を行うためのオゾン分解用薬液を調製する薬液調製手段と、上記処理槽内の液体を処理槽外に排出するための液体排出配管と、上記処理槽内のガスを処理槽外に排出するためのガス排出配管とを備え、上記処理槽には、処理槽内のオゾン濃度を経時的に計測するためのオゾン濃度センサが設けられ、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つ濃度制御が行われるようになっている繊維品の漂白装置を第１１の要旨とする。
【００１５】
さらに、本発明は、上記第２の要旨である漂白繊維品の製法に用いる装置であって、開閉蓋付密封容器からなる処理槽と、上記処理槽内に繊維品を装填するための繊維品保持手段と、上記処理槽内に装填された繊維品に液体を導入するための液体導入手段と、上記処理槽内に導入された液体を上記処理槽内から取り出して再び処理槽内に導入することを繰り返し、処理槽内に装填された繊維品と液体とを接触させるための液体強制循環配管と、上記液体強制循環配管を循環する液体にオゾンガスを供給して漂白処理のためのオゾン含有液を調製するオゾンガス供給手段と、同じく上記液体強制循環配管を循環する液体を５０℃以上に加温して黄変処理のための加温水を調製する加温手段と、同じく上記液体強制循環配管を循環する液体にオゾン分解用薬剤を投入して、黄変除去とオゾン分解を同時に行うためのオゾン分解用薬液を調製する薬液調製手段と、上記処理槽内の液体を処理槽外に排出するための液体排出配管と、上記処理槽内のガスを処理槽外に排出するためのガス排出配管とを備え、上記処理槽には、処理槽内のオゾン濃度を経時的に計測するためのオゾン濃度センサが設けられ、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つ濃度制御が行われるようになっている繊維品の漂白装置を第１２の要旨とする。
【００１６】
そして、本発明は、それらのなかでも、特に、上記処理槽が、繊維品をパッケージ化した状態で処理を行うパッケージ型の処理槽であり、上記液体強制循環配管によって強制循環される液体が、パッケージ化された繊維品の内外を繰り返し通過して繊維品と接触するようになっている繊維品の漂白装置を第１３の要旨とし、上記処理槽が、繊維品をロープ状にして液流によって移送しながら処理を行う液流型の処理槽であり、上記液体強制循環配管によって強制循環される液体が、ロープ状の繊維品を移送するための液流として用いられて繊維品と接触するようになっている繊維品の漂白装置を第１４の要旨とし、上記処理槽が、繊維品を回転ドラム内で動かしながら処理を行うワッシャー型の処理槽であり、上記液体強制循環配管によって強制循環される液体が、上記回転ドラム内外を強制循環して繊維品と接触するようになっている繊維品の漂白装置を第１５の要旨とする。
【００１７】
また、本発明は、それらのなかでも、特に、上記オゾンガス供給手段として、オゾンガス発生装置と、このオゾンガス発生装置から延びるオゾンガス供給配管と、エジェクタ、渦流ポンプ、ミキシングポンプのいずれかからなる気液混合吐出手段とが設けられ、オゾンガスが、上記気液混合吐出手段を介して、上記循環液体中に微細気泡化した状態で供給されるようになっている繊維品の漂白装置を第１６の要旨とし、上記液体排出配管の先端およびガス排出配管の先端が、ともにアルカリ水溶液貯槽内に連通されるようになっている繊維品の漂白装置を第１７の要旨とする。
【００１８】
さらに、本発明は、それらのなかでも、特に、上記アルカリ水溶液貯槽内の、液面から上に溜まるガスが捕集され、２００℃以上に加熱された煙突内に送入されるようになっている繊維品の漂白装置を第１８の要旨とし、上記処理槽の内周面と、オゾン含有液体およびオゾン含有ガスが流通する配管の内周面とが、ともにフッ素系樹脂によってコーティングされている繊維品の漂白装置を第１９の要旨とする。
【００１９】
そして、本発明は、上記第１〜第１０の要旨のいずれかの製法によって得られる漂白繊維品を第２０の要旨とし、そのなかでも、特に、製造後、２０〜３０℃の雰囲気下で６０日間放置後の白度（ＪＩＳ−１９９１法に従う）が、６０以上である漂白繊維品を第２１の要旨とする。
【発明の効果】
【００２０】
すなわち、本発明の漂白繊維品の製法は、すぐに分解して環境に残留することのないオゾンを用いて繊維品を漂白処理するようにしたもので、環境への負荷が小さいという利点を有する。また、オゾンによる漂白は、従来の塩素系等の漂白剤を用いた場合と比べ、薬剤使用量やエネルギー消費量が少なくてすむ、という点においてもエコロジカルである。そして、本発明の製法は、各種の形態によって処理槽内に装填された繊維品に対し、オゾン含有液を、そのオゾン濃度を一定に保ちながら強制循環させて繊維品に強制的に接触させて漂白処理を行うようにしているため、効率よく、均一に漂白処理することができるという利点を有する。
【００２１】
そして、上記処理を、密封容器内で行うため、未分解のオゾンが周囲に漏れることがなく、作業環境を完全に保つことができる。さらに、繊維品に対し、比較的穏やかな条件で漂白処理を行うため、繊維品の劣化が少なく、滑らかな風合いの漂白繊維品を得ることができるという利点を有する。しかも、漂白処理に至る過程で、繊維品と空気との接触等によって繊維品に黄変物質が生じた場合であっても、漂白処理後の、オゾン分解用薬液によるオゾン分解処理工程において、オゾン分解を行うと同時に、上記黄変物質を除去することができるため、得られる漂白繊維品が、経時的に黄変しにくいという優れた効果を奏する。なお、上記黄変原因物質が、最終製品に残留したり、製品化後、経時的に増加することを防止するために、上記オゾン漂白処理後オゾン分解処理前に、加温水を用いて人工的に黄変処理を行い、生じた黄変を、オゾン分解処理時に除去することにより、より充分な形で、繊維品の経時的な黄変を防止することができる。
【００２２】
また、本発明の繊維品の漂白装置は、従来のパッケージ処理装置、液流処理装置、ワッシャー型処理槽等に簡単な改良を追加するだけで得ることができるため、設備コストを低く抑えることができる。そして、未分解のオゾンを周囲に漏らすことなく安全に、経時的に黄変しにくい、あるいは黄変することのない、優れた風合いの漂白繊維品を製造することができる。
【００２３】
そして、本発明の製法によって得られた漂白繊維品は、上記のように、優れた風合いで、経時的に黄変しにくい、あるいは黄変することのない、高品質のものとなる。
【発明を実施するための最良の形態】
【００２４】
つぎに、本発明を実施するための最良の形態を詳細に説明する。
【００２５】
まず、本発明が対象とする繊維は、従来から、漂白処理が要求されている、綿，麻，羊毛等の天然繊維およびビスコースレーヨン等の再生繊維を主体とする繊維である。これらの繊維は２種以上を組み合わせて用いることができる。なお、本発明において、上記「主体とする」とは、これらの繊維のみからなる繊維品だけでなく、これらの繊維と他の繊維とを併用した繊維品を含む趣旨である。その場合、主体となる天然繊維、再生繊維に組み合わせられる他の繊維は、繊維全体に対し、５０重量％未満に設定される。
【００２６】
また、本発明が対象とする繊維品の形態は、どのようなものであっても差し支えはなく、例えば、ばら毛，フィラメント，綿わた，トウ，スライバー，糸，織編物，不織布等のいずれであってもよい。あるいは、ガーメント等、最終製品の形状に仕立てられたものであってもよい。
【００２７】
そして、本発明における漂白処理時の繊維品の態様は、上記繊維品の種類および漂白装置の処理の型に応じて適宜設定される。例えば、パッケージ型の漂白装置を用いる場合、通常、ばら毛等はバスケット内槽等に充填した状態で、糸等はかせ状，チーズ状，コーン状等にまとめパッケージ化した状態で、織編物，不織布等はビーム等に巻回したり積層したりしてパッケージ化した状態で装填される。また、ガーメント等の製品は平たく伸ばして積層した状態で装填することができる。あるいは、処理槽内で、繊維品をプレスした状態やテンションセットした状態で装填することもできる。一方、液流型の場合は、糸や織編物等をロープ状にして処理流路内に装填し、ワッシャー型の場合は、織編地、不織布、ガーメント等を、処理槽（回転ドラム式）内に自由な状態で装填することができる。
【００２８】
つぎに、本発明に用いる繊維品の漂白装置の一例を、図１に示す。図において、１は、開閉蓋１ａを備えた竪型密閉式の処理槽で、内側に、多孔付円筒状のスピンドル２（多孔の図示を省略、以下同じ）を多数本有し周囲が多孔板３ａで囲われたチーズキャリア３が装填されるようになっている。そして、各スピンドル２には、糸を多孔付チューブ（図示を省略）に巻回してチーズ状にパッケージ化した繊維品４が、多段に積重された状態で保持されている（図では４段）。なお、各スピンドル２の繊維品４は、その上端部に設けられるチーズ押さえ板および締め込みナット（これらの図示を省略）で固定されるようになっている。
【００２９】
また、上記処理槽１の底部中央に、上記チーズキャリア３の下部に設けられたヘッダー部３ｂと連通する流体導入口５が設けられており、処理槽１の外側に設置された循環ポンプ６の吐出側から延びる流体供給配管７が、熱交換器８を介して接続されている。一方、処理槽１の底部側方には、流体取出口９が設けられており、この流体取出口９から延びる流体取出配管１０が、仕切弁１１を介してエジェクタ１２の液体吸引口に接続され、上記エジェクタ１２の吐出側が、弁１３を介して循環ポンプ６の吸入側に接続されている。なお、１４は、エジェクタ１２を経由しない流路に切り替えるための仕切弁、１４′は、循環ポンプ６を経由する流路から、後述するブロア２１を経由する流路に切り替えるための仕切弁である。
【００３０】
そして、上記エジェクタ１２の気体吸引口には、オゾン発生器１５から延びるオゾンガス供給配管１６が接続されており、上記エジェクタ１２によって、液体とオゾンガスとが気液混合状態で循環ポンプ６に吸入され、処理槽１内に導入されるようになっている。なお、上記オゾンガス供給配管１６には、オゾンガスの流量調整のためのバルブ弁１７が設けられている。また、上記オゾン発生器１５には、酸素濃縮装置（ＰＳＡ）１８が接続されており、空気から濃縮された酸素がオゾンガス原料として導入されるようになっている。
【００３１】
また、上記流体取出口９と流体供給配管７の間には、仕切弁１９、２０を介してブロア２１が接続されており、前記仕切弁１１、１４′を閉じ、上記仕切弁１９、２０を開くことにより、上記循環ポンプ６による液体の強制循環を、上記ブロア２１による気体の強制循環に切り替えることができるようになっている。
【００３２】
さらに、上記流体取出配管１０には、蒸気や空気等の気体を供給するための給気配管と、水や洗浄水を供給するための給液配管とが、それぞれ弁を介して接続されている（図示せず）。
【００３３】
一方、上記処理槽１の上部には、処理槽１内の気体を処理槽１外に排出するための排ガス口２２が設けられており、この排ガス口２２に、他端が工場内に設けられたアルカリ廃液槽２３の廃液中に延びる排ガス配管２４が、開閉弁２５を介して接続されている。２６は、排ガスを矢印のように移送するためのブロアである。
【００３４】
また、上記処理槽１の底部（図では見やすくするために側方に表示している）には、廃液口２７が設けられており、この廃液口２７に、他端が、上記排ガス配管２４と同様、上記アルカリ廃液槽２３の廃液中に延びる廃液配管２８が、開閉弁２９を介して接続されている。
【００３５】
なお、上記アルカリ廃液槽２３は密閉されており、その液面から上に溜まるガスが捕集されて、配管３０を介して、工場内のボイラー煙突（図示せず）内に送入されるようになっている。これにより、ガスに残留するオゾンが、ボイラーの熱（例えば２００℃以上）で完全に熱分解される。また、アルカリ廃液槽２３内の廃液は、配管３１を介して、工場内に設けられる廃液処理槽（図示せず）に移送されるようになっている。
【００３６】
そして、上記装置において、オゾン発生器１５内部の、オゾンガス取り出し部近傍には、オゾンガス濃度を測定するためのオゾンセンサＳ1 が設けられており、液体供給配管７の途中と、処理槽１内の２個所にも、循環する処理液のオゾン濃度を測定するためのオゾンセンサＳ2 、Ｓ3 がそれぞれ設けられている。これら３個のオゾンセンサＳ1 〜Ｓ3 は、互いに連動して、漂白処理工程において、循環するオゾン含有液のオゾン濃度を一定に保つ機能を果たすようになっている。
【００３７】
また、オゾンガスが環境に悪影響を及ぼさないよう、安全面から、処理槽１の外側、処理槽１の開閉蓋１ａの内側、配管３０の途中、配管３１の途中、の４個所にも、それぞれオゾンセンサＳ4 〜Ｓ7 が設けられている。すなわち、オゾンガス濃度の安全基準値は、労働基準法において、０．１ｐｐｍに定められていることから、これに準じ、上記処理槽１の外側に設けられたオゾンセンサＳ4 によって０．１ｐｐｍが検出された場合、「ガス漏れによる周辺作業環境が危険」との判断から、装置の稼働が強制的に停止されるようになっている。
【００３８】
また、開閉蓋１ａの内側に設けられたオゾンセンサＳ5 は、装置稼働時には追従測定であるが、処理終了後、開閉蓋１ａの開放時に、上記オゾンセンサＳ5 によって０．１ｐｐｍが検出された場合、「これを開放すると周辺作業環境が危険」との判断から、上記開閉蓋１ａの開放動作が、強制的に停止されるようになっている。
【００３９】
さらに、配管３０、３１に設けられたオゾンセンサＳ6 、Ｓ7 は、常時追従測定であるが、１ｐｐｍ検出時にアラート警報を発するよう設定されている。そして、上記オゾンセンサＳ6 、Ｓ7 のいずれかによって１０ｐｐｍが検出された場合には、安全確保のために、装置の稼働が強制的に停止されるようになっている。１０ｐｐｍ未満の場合は、オゾンの処理が、ガスの場合はボイラー煙突内で、廃液の場合は廃液処理場において、それぞれ完全に分解処理されるからである。
【００４０】
上記装置を用い、例えばつぎのようにして、繊維品４に対し漂白等の処理を行うことにより、優れた品質の漂白繊維品を得ることができる。すなわち、まず、図１に示すように、チーズキャリア３の各スピンドル２に繊維品４を多段に積重保持した状態で、処理槽１内に装填する。そして、給液配管（図示せず）から処理槽１内に、所定の浴比（例えば１：１０）となる量の常温水（２５℃）を注入した後、循環ポンプ６を作動させて、図１において矢印で示すように、常温水を強制循環（循環液量が、繊維品１ｋｇ当たり３０リットル／分となるよう設定）させて、繊維品４の内側から外側に向かって繰り返し通過させる。これを１０分間維持することより、繊維品４を内側まで水分が付与され、濡れた状態になる。
【００４１】
つぎに、循環液（常温水）に、所定濃度（例えば１ｇ／リットル）となるようクエン酸を注入して、１０分間循環を繰り返すことにより、循環液のｐＨを酸性側に調整する。アルカリ性では、つぎに導入するオゾンガスのオゾンが分解するからである。
【００４２】
また、酸素濃縮装置１８およびオゾン発生器１５を作動させ、所定濃度（例えば１００ｇ／Ｎｍ3 ）のオゾンを含むオゾンガスを発生させるとともに、エジェクタ１２を作動させ、循環液がエジェクタ１２を経由するよう設定してバルブ弁１７を開き、エジェクタ１２を経由して循環液中にオゾンガスを注入し、オゾンガスが循環液に微細気泡となって混じり合ったオゾン含有液をつくる。このとき、例えば、エジェクタ１２内の圧力を３９２．４ｋＰａ（＝４ｋｇ／ｃｍ2 ）に設定し、エジェクタ１２から弁１３までの間で１９６．２ｋＰａ（＝２ｋｇ／ｃｍ2 ）に減圧することにより、オゾンガスを好適な微細気泡として、循環液に混合した状態で吐出させることができる。
【００４３】
そして、このオゾン含有液を、循環ポンプ６により３０分間強制循環させ、繊維品４の内側から外側に向かって繰り返し通過させる。これにより、繊維品４の表面および内側で、オゾンの分解に伴う漂白処理が行われる。なお、上記漂白処理中、オゾンが経時的に分解するため、オゾンガスを、処理槽１内に連続的に注入し続ける。また、必要に応じて、開閉弁２５を開閉して、処理槽１内のガスを、排ガス配管２４からアルカリ廃液槽２３内に送入して、処理槽１内の圧力を一定に保つようにする。
【００４４】
さらに、上記オゾン漂白処理工程において、オゾン濃度を一定に保つために、処理槽１内のオゾンセンサＳ3 と、オゾン発生器１５内のオゾンセンサＳ1 と、循環ポンプ６の吐出側に設けられたオゾンセンサＳ2 とを連動させて、オゾン濃度の自動制御を行う。より具体的に述べると、オゾンセンサＳ3 とオゾンセンサＳ2 とで、オゾン含有液のオゾン濃度の変動を常時測定し、両者の値のずれを誤差修正した上で、その値が、予め設定された基準濃度より１０％不足した値になると、オゾン発生器１５におけるオゾンガスの発生量を、オゾンセンサＳ1 の測定値が上限の設定値になるまで増やすようにする。また、逆に、オゾンセンサＳ3 とオゾンセンサＳ2 による測定値（誤差修正値）が、予め設定された基準濃度より１０％超過した値になると、オゾン発生器１５におけるオゾンガスの発生量を、オゾンセンサＳ1 の測定値が下限の設定値になるまで減らすようにする。このようにして、オゾン含有液におけるオゾン濃度を一定に保つ。なお、上記オゾンセンサＳ3 が異常値（例えば基準濃度の±５０％濃度）を測定した場合は、全システムを停止するよう設定しておくことが好ましい。
【００４５】
上記漂白処理終了後、循環液（オゾン含有液）を、排液配管２８から処理槽１外に排出し、アルカリ廃液槽２３内のアルカリ廃液（通常、ｐＨ１０〜１１）に通して、液に含まれるオゾンを、アルカリ下で分解し無害化する。なお、アルカリ廃液槽２３内の、液面から上に溜まるガスは、すでに述べたように、配管３０を介して、工場内のボイラー煙突内に送入させ、ボイラーの熱で完全に熱分解される。
【００４６】
そして、排液後の処理槽１内に、給液配管から新たに常温水を供給し、５分間の強制循環を行って排液する水洗処理を２回繰り返し、処理槽１内に残留するオゾンを、ある程度除去する。ここまでの工程図を図２に示す。
【００４７】
つぎに、給液配管から処理槽１内に常温水を供給し、循環ポンプ６により強制循環させながら８０℃に昇温して加温水とした後、さらに１０分間強制循環させ、繊維品４の内側から外側に向かって繰り返し通過させる。上記加温水の熱によって、繊維を構成する窒素原子と周囲の水酸基にオゾンが作用して窒素化合物を生じる反応が促進され、繊維品４が黄変する。この黄変反応は、従来から、オゾン漂白繊維品の製品表面が、経時的に徐々に黄ばんでくる原因となるもので、この黄ばみの防止が強く望まれてきたものである。この例は、上記黄変を人工的に生じさせ、後述するオゾン分解処理工程において、残留オゾンを分解すると同時に、上記黄変反応により生じた黄変物質を分解除去することにより、それ以降、黄変が発生しないよう工夫したものである。
【００４８】
このようにして黄変処理を行った後、循環液（加温水）を、排液配管２８から処理槽１外に排出し、アルカリ廃液槽２３内で分解し無害化する。
【００４９】
そして、排液後の処理槽１内に、給液配管から新たに常温水を供給し、５分間の強制循環を行って排液する水洗処理を２回繰り返し、処理槽１内に残留するオゾンを、さらに除去する。ここまでの工程図を図３に示す。
【００５０】
つぎに、給液配管から処理槽１内に常温水を供給し、循環ポンプ６により強制循環させながら９０℃に昇温した後、下記のレサイプの薬剤を投入して、オゾン分解用の薬液を調製する。この薬液を、さらに１５分間強制循環させ、繊維品４の内側から外側に向かって繰り返し通過させて、残留オゾンを分解すると同時に、先の工程で人工的に発生させた黄変物質を分解除去する。
【００５１】
〔オゾン分解用薬液のレサイプ〕
過酸化水素        ２〜６ｇ／リットル
水酸化ナトリウム  １〜４ｇ／リットル
界面活性剤            １ｇ／リットル
安定剤                １ｇ／リットル
【００５２】
このようにしてオゾン分解処理および黄変除去処理を行った後、循環液（薬液）を、排液配管２８から処理槽１外に排出し、アルカリ廃液槽２３内で分解し無害化する。
【００５３】
そして、排液後の処理槽１内に、給液配管から新たに常温水を供給し、５分間の強制循環を行って排液する水洗処理を２回繰り返し、処理槽１内に残留するオゾンを、さらに除去する。これによって一連の処理を終了する。ここまでの工程図を図４に示す。
【００５４】
そして、上記水洗に用いた水を排水し、仕切弁１１、１４′と仕切弁１９、２０の切り替えにより、ブロア２１を処理槽１に接続した後、ブロア２１を作動させて処理槽１内を加圧し、繊維品４の圧力脱水を行う。そして、開閉蓋１ａを開き、処理槽１内からチーズキャリア３ごと繊維品４を取り出し、別に設けられる乾燥装置に装填して繊維品４を乾燥する。乾燥条件は、繊維品４の種類、形態に応じて、適宜に設定することができる。このようにして、目的とする漂白繊維品を得ることができる。
【００５５】
上記の方法によれば、すぐに分解して環境に残留することのないオゾンを用い、比較的穏やかな条件で繊維品４を漂白処理するため、環境への負荷が小さいという利点を有する。そして、パッケージ化された状態の繊維品４に対し、オゾン含有液を強制循環させ、繊維品４の内部まで強制的に接触させて漂白処理を行うようにしているため、低濃度のオゾンで効率よく、均一に漂白処理することができる。しかも、上記処理を、密封容器からなる処理槽１内で完全にクローズドした状態で行うため、未分解のオゾンが周囲に漏れることがなく、作業環境を完全に保つことができる。さらに、繊維品４同士がパッケージ化されて動かない状態で、上述のように比較的穏やかな条件で漂白処理を行うため、繊維品の劣化が少なく、滑らかな風合いの漂白繊維品を得ることができるという利点を有する。そして、得られた漂白繊維品は、処理工程の途中で人工的に黄変され、その後、黄変物質が分解除去されているため、処理後は、経時的に黄変することがなく、製造直後の白度が安定して保たれるという利点を有する。
【００５６】
また、上記漂白装置は、従来のパッケージ処理装置に簡単な改良を追加するだけで得ることができるため、設備コストが安価である。そして、未分解のオゾンを周囲に漏らすことなく、安全に、優れた風合いの漂白繊維品を製造することができる。
【００５７】
なお、図１の装置では、チーズ状にパッケージ化された繊維品４の、内側から外側に向かってオゾン含有液が通過するよう設定しているが、循環ポンプ６、エジェクタ１２等の接続を変えることにより、オゾン含有液が、繊維品４の外側から内側に向かって通過するよう設定しても差し支えはない。また、内→外、外→内を交互に切り換えるようにしても差し支えはない。ただし、外→内の場合には、繊維品４の内部において、オゾン含有液が均一に流れにくいことから、基本的には、図１の装置のように、繊維品４の内側から外側に向かってオゾン含有液が通過するように設定することが望ましい。
【００５８】
また、上記の例において、まず常温水のみを循環させて繊維品４に水分を付与するのは、つぎにオゾン含有液を循環させてオゾン漂白処理を行う際、繊維内部まで均一に処理が行われるようにするものである。上記の例では、常温水を１０分間循環し、ついで、この常温水にクエン酸を注入して１０分間循環するようにしたが、当初から、クエン酸を注入して酸性にした常温水によって、繊維品４に水分付与を行うようにしてもよい。
【００５９】
なお、上記水分付与に用いる常温水としては、通常、蒸留水、純水、イオン交換水等の水が用いられるが、１００％の水以外に、キレート剤等、水に、適宜の添加剤を配合したものであっても差し支えない。そして、その温度は、特に加熱や冷却をしない水を用いるときの水温でよく、環境温度に応じて、通常、２０〜３５℃の範囲内である。特に、この常温水は、後からオゾンガスを混合してオゾン含有液として循環させるのに用いるものであるから、オゾンが分解する４０℃以上にすることは好ましくない。
【００６０】
そして、上記常温水の量は、繊維品４を充分に濡らすことができる量であれば、特に差し支えはないが、これにオゾンガスを混合してオゾン漂白処理用の循環液として用いることを考慮とすれば、浴比が１：５〜１：１５、特に１：８〜１：１３となる範囲内で用いることが好適である。また、常温水の水分付与のための時間は、上記の例に限らず、繊維品４の形態や浴比に応じて、適宜に設定することができる。さらに、循環させる液量も、特に限定するものではないが、次工程であるオゾン漂白処理工程時の循環量と同一に設定しておくことが、いちいち循環ポンプ６の設定を変える必要がなく、好適である。
【００６１】
また、上記常温水に注入するクエン酸は、この液にオゾンガスを混合してオゾン含有液としてオゾン漂白に用いる際、オゾンを分解させないよう、液を酸性にするために用いられるものである。この場合、上記クエン酸に限らず、適宜の酸を用い、液のｐＨを、３〜６程度の酸性にすることが好適である。過度に酸性にすると、繊維品４に悪影響を及ぼし、中性〜アルカリでは、オゾンが分解されて、漂白効果が得られないからである。
【００６２】
つぎに、上記の例において、循環する常温水に、エジェクタ１２を介してオゾンガスを注入しているが、上記オゾンガスの注入量は、注入後のオゾン含有液におけるオゾン濃度が、１０〜３００ｇ／Ｎｍ3 、特に５０〜１５０ｇ／Ｎｍ3 となるよう設定することが好適である。すなわち、オゾン濃度が１０ｇ／Ｎｍ3 未満では、漂白処理が不充分となるおそれがあり、逆に、オゾン濃度が３００ｇ／Ｎｍ3 を超えると、繊維品４の繊維強度が低下するおそれがあるからである。
【００６３】
そして、上記の例では、オゾンガスを、エジェクタ１２を介して、微細気泡となって常温水に混合するようにしたが、これは、オゾンガスを微細気泡として分散含有させた処理液を用いると、漂白処理を均一に行うことができ、繊維品４の風合いも良好なものが得られるからである。このような微細気泡をつくるには、上記エジェクタ１２を経由する際、エジェクタ１２内と吐出直後とで、圧力値を、例えば２／３〜１／５に減じ、その圧力変化によって、オゾンガスを微細気泡化して液中に分散させることが好適である。また、上記エジェクタ１２に限らず、オゾンガスを微細気泡化するための気液混合吐出手段として、渦流ポンプやミキシングポンプを用いることができる。
【００６４】
さらに、オゾン含有液の強制循環による液量も、繊維品４の材質や形態によるが、通常、繊維品１ｋｇ当たり１５〜９０リットル／分に設定することが好適である。すなわち、循環する液量が少なすぎると、パッケージ化された繊維品４の内部までオゾン含有液を通過させることが容易でなく処理に時間がかかり、逆に、循環する液量が大きすぎると、繊維品４が損傷するおそれがあるからである。
【００６５】
また、オゾン含有液の温度は、常温でよく、強制循環させる時間は、通常、１５〜６０分、なかでも２０〜４０分に設定することが、好適である。すなわち、処理時間が１５分未満では、漂白処理が不充分になるおそれがあり、逆に、６０分を超えて行うと、それ以上の効果が得られず、しかもエネルギーコストがかかるからである。
【００６６】
さらに、上記漂白処理後の黄変処理において、上記の例では、循環させる加温水の液温を８０℃としたが、液温は、これに限るものではない。ただし、上記加温水は、オゾンによる黄変生成反応を促進させるためのものであり、５０℃未満では、その促進効果が不充分で、短時間で黄変を生起させることができないため、５０℃以上であることが望ましい。なかでも８０〜１００℃に設定することが、黄変を生起させる上で好適である。そして、上記加温水の量は、浴比１：５〜１：１５、特に１：８〜１：１３となる範囲内で用いることが好適である。そして、この「加温水」も、前記「常温水」と同様、１００％の水である必要はなく、適宜の添加剤を配合したものであっても差し支えない。
【００６７】
また、上記黄変処理に要する時間は、１〜３０分、なかでも１５分以内に設定することが好適である。すなわち、処理時間が短すぎると、人工的な黄変処理が不充分となり、製品化した漂白繊維品が、経時的に黄変を生じるおそれがあり、逆に、処理時間が長すぎると、黄変防止効果に変わりがないにもかかわらず、オゾンの影響が強すぎて繊維の強度を損なう、という問題がある。加温水を調製するためのエネルギーコストが高くなりすぎる、という問題もある。
【００６８】
一方、上記漂白処理後の、オゾン分解処理において、処理用の薬液は、上記の例に限るものではなく、下記のレサイプＡのものを、好適に用いることができる。
【００６９】
〔レサイプＡ〕
浴比              １：８〜１：１３
処理温度          ６０〜９０℃
処理時間          １０〜２０分
過酸化水素        １〜６ｇ／リットル
水酸化ナトリウム  １〜４ｇ／リットル
界面活性剤        ０．５〜２ｇ／リットル
安定剤            ０．５〜２ｇ／リットル
【００７０】
なお、上記水酸化ナトリウムは、液性をアルカリ性（好適には、ｐＨ８〜１０）にするために用いられるもので、これに代えて、あるいはこれとともに、水酸化カリウム、硫酸ナトリウム、硫酸カリウム、珪酸ナトリウム、珪酸カリウム等、各種のアルカリ剤を用いることができる。
【００７１】
また、上記界面活性剤としては、例えば、サンモール（日華化学社製）等が好適に用いられ、安定剤としては、例えば、ブライトＮＩＫ（洛東化成工業社製）等が好適に用いられる。
【００７２】
また、他のオゾン分解処理方法として、例えば、図５に示すように、まず、亜硝酸ナトリウムと水酸化ナトリウムを主成分とする第１の薬液を、上記の例と同様にして、処理槽１内に供給し強制循環させて、残留オゾンの酸化力を還元剤で消失させる還元処理を行い、２回水洗を繰り返した後、上記の例と同様の、過酸化水素と水酸化ナトリウムを主成分とする第２の薬液で、オゾン分解処理を行う、という２段階処理を行うようにしてもよい。この方法によれば、先の方法に比べて、得られる漂白繊維品の白度がやや劣るものの、繊維へのダメージが殆どないという利点を有する。
【００７３】
上記還元処理に用いる第１の薬液としては、下記のレサイプＢのものを、好適に用いることができる。
【００７４】
〔レサイプＢ〕
浴比              １：８〜１：１３
処理温度          ３０〜８０℃
処理時間          １０〜２０分
亜硫酸ナトリウム  ２〜４ｇ／リットル
水酸化ナトリウム  １〜２ｇ／リットル
【００７５】
なお、上記亜硫酸ナトリウムは、還元剤として作用するもので、これに代えて、あるいはこれとともに、ハイドロサルファイト、チオ硫酸ナトリウム等の還元剤を用いることができる。
【００７６】
さらに、他の方法として、図６に示すように、オゾン漂白処理と、黄変処理と、第１の薬液による還元処理と、第２の薬液によるオゾン分解処理とを、途中、排液→水洗を経由することなく、一浴で連続的に行う方法があげられる。この方法によれば、得られる漂白繊維品の白度は多少劣るものの、実用性は充分に備えている。しかも、処理液の使用量が大幅に削減できるため、用水コスト、エネルギーコストを大幅に低減することができる。
【００７７】
なお、上記一浴で連続的に処理を行う方法において、黄変処理は、オゾン漂白処理後の処理液を５０℃に加温して行うことが好適である。５０℃を超えると、つぎの還元処理による効果が充分に得られず、黄変除去が不充分になるおそれがあるからである。
【００７８】
また、前記の例では、漂白処理後、処理槽１から排出される排液、排ガスを、ともにアルカリ廃液槽２３内に導いて、アルカリ廃液によってオゾン分解させ、さらにその液面から上のオゾン含有ガスを、ボイラー煙突内に送入して、オゾンを熱分解するようにしているが、オゾンを、このような形で無害化することは任意である。工場によっては、このようなアルカリ廃液槽２３やボイラー煙突が近傍に設置されていない場合もあり、その場合は、別途アルカリ処理槽もしくは他のオゾン分解手段を設けることが望ましい。ただし、前記の例のように、アルカリ廃液槽２３やボイラー煙突を利用すると、処理コストがかからず、好適である。
【００７９】
さらに、前記の例では、漂白処理と黄変処理の間、黄変処理とオゾン分解処理の間において、それぞれ処理槽１内の処理液を排出して、２回水洗を繰り返しているが、このような水洗処理を挟むか否かは、処理対象や要求される繊維の白度等によって、適宜の設計とすることができる。
【００８０】
また、前記の例では、処理槽１として、竪型のものを用いているが、処理槽１は横型であっても差し支えはない。そして、処理槽１への繊維品４の装填方法や装填態様も、上記に限らず適宜設定することができる。
【００８１】
そして、本発明の漂白装置において、処理槽１の内側およびオゾン含有気体が流れる各配管の内側は、オゾン酸化による腐食を防止するために、デュポン社製のテフロン（登録商標）等のフッ素系樹脂によってコーティングすることが好ましい。また、各部材の接続部には、接液部が全てフッ素系樹脂で被覆されたメカニカルシールを用いることが好ましい。
【００８２】
さらに、本発明の漂白装置において、オゾン濃度を一定に保つためのオゾンセンサの配置や個数、設定値等は、上記の例に限らず、適宜に設定することができる。ただし、上記の例のように、処理槽１内のオゾン含有液におけるオゾン濃度だけでなく、複数の測定値から誤差修正を行った上で、濃度制御を行うことが、高精度で濃度制御を行うことができ、好適である。
【００８３】
また、上記一連の説明は、本発明をパッケージ処理装置に適用した例にもとづいているが、本発明は、処理槽の内外を、処理液を強制循環させて処理を行う各種の処理装置に適用することができる。例えば、図７に示すように、パッケージタイプの処理槽１に代えて、液流式の処理槽４０を備えた液流処理装置に適用することができる。
【００８４】
上記液流処理装置の処理槽４０は、布帛等の繊維品４′をロープ状にして、液流によって移送しながら処理を行うもので、どのようなタイプの液流式処理槽であってもよいが、この例の処理槽４０では、繊維品４′を蛇行状態で滞留させながら移送する滞留槽４１と、リール４２によって引き上げられた繊維品４′を液体噴射部４３から噴射される液流によって移送する移送通路４４とを備えている。そして、４５は、滞留槽４１内において、繊維品４′と処理液とを分離するための多孔性分離板で、滞留槽４１内の底部に溜まる処理液が、循環ポンプ６、熱交換器８を経由して、上記液体噴射部４３に循環供給されるようになっている。それ以外の構成は、図１に示す例と同様であり、同一番号を付して、その説明を省略する。
【００８５】
この装置によっても、前記パッケージ処理装置と同様、強制循環される処理液が繊維品４′と接触しながら処理が行われるようになっており、前記の例と同様にして、一連のオゾン漂白処理を行うことができる。
【００８６】
ただし、液流処理装置を用いる場合、オゾン漂白処理に用いるオゾン含有液の濃度は、１０〜３００ｇ／Ｎｍ3 、なかでも、１００〜２００ｇ／Ｎｍ3 に設定することが好適である。そして、浴比は、１：５〜１：２０に設定することが好適である。
【００８７】
また、前記パッケージ処理装置を用いた例においては、繊維品４が、緊密にパッケージ化され処理液を含浸した状態で処理に供されるため、処理の過程で、繊維品４が空気接触することが少なく、空気酸化に伴う黄変が進行しにくいことから、人工的に黄変を生じさせ、オゾン分解処理工程において、残留オゾン分解と同時に、生じた黄変物質を分解除去することが、それ以降の黄変を防止する上で好適である。しかし、上記液流処理装置では、ロープ状の繊維品４′が、その移送途中で空気と接触する機会が多いため、人工的に黄変を生じさせなくても、オゾン分解処理工程に至るまでに、ある程度黄変が進行する。そこで、必ずしも、前記の例のように、人工的な黄変処理を施さなくても、上記オゾン分解処理工程において、その自然発生した黄変物質を除去しておけば、それ以降の黄変を、ある程度防止することができる。もちろん、人工的な黄変処理を施すことにより、より完全な黄変防止効果が得られる。
【００８８】
なお、上記自然発生した黄変物質の除去に有効なオゾン分解用薬液としては、例えば前記〔レサイプＢ〕として示したような、亜硝酸ナトリウムと水酸化ナトリウムを主成分とする還元処理用の第１の薬液を用い、つぎに、例えば前記〔レサイプＡ〕として示したような、過酸化水素と水酸化ナトリウムを主成分とする第２の薬液を用いることが、それ以降の黄変を防止する上で、好適である。
【００８９】
さらに、本発明は、例えば、図８に示すように、ワッシャータイプの処理槽５０を備えた回転ドラム式処理装置に適用することができる。
【００９０】
上記ワッシャータイプの処理槽５０は、織編地等の繊維品４″を、多孔性の回転ドラム５１内に装填して回転させながら、外槽５２内に貯留された処理液と接触させて処理を行うもので、どのようなタイプの回転ドラム式の処理槽であってもよいが、上記外槽５２内に貯留される処理液が、循環ポンプ６、熱交換器８を経由して、外槽５２内に循環供給されるようになっている。それ以外の構成は、図１に示す例と同様であり、同一番号を付して、その説明を省略する。
【００９１】
この装置によっても、前記パッケージ処理装置や液流式処理装置と同様、強制循環される処理液が繊維品４″と接触しながら処理が行われるようになっており、前記の例と同様にして、一連のオゾン漂白処理を行うことができる。
【００９２】
ただし、回転ドラム式処理装置を用いる場合、オゾン漂白処理に用いるオゾン含有液の濃度は、１０〜３００ｇ／Ｎｍ3 、なかでも、１００〜２００ｇ／Ｎｍ3 に設定することが好適である。そして、浴比は、１：８〜１：３０に設定することが好適である。
【００９３】
また、この回転ドラム式処理装置においても、上記液流処理装置と同様、回転ドラム５１内の繊維品４″が、回転ドラム５１の回転に追従して移動する際、空気と接触する機会が多いため、人工的に黄変を生じさせなくても、オゾン分解処理工程に至るまでに、ある程度黄変が進行する。そこで、必ずしも、前記の例のように、人工的な黄変処理を施さなくても、上記オゾン分解処理工程において、その自然発生した黄変物質を除去しておけば、それ以降の黄変を、ある程度防止することができる。もちろん、人工的な黄変処理を施すことにより、より完全な黄変防止効果が得られる。
【００９４】
なお、上記自然発生した黄変物質の除去に有効なオゾン分解用薬液としては、上記液流処理装置の場合と同様の、還元処理用の第１の薬液と、第２の薬液との組み合わせが、好適に用いられる。
【実施例】
【００９５】
つぎに、実施例について比較例と併せて説明する。ただし、本発明は、下記の実施例によって限定されるものではない。
【００９６】
〔実施例１〜８、比較例１〕
下記の処理条件（装置の基本的な構成は図１に従う）で、表１、表２に示すレサイプにしたがって、オゾン漂白処理を施し、処理槽から取り出して乾燥することにより、漂白繊維品（単糸）を得た。そして、このものの白度を、ＪＩＳ−１９９１法にしたがって測定するとともに、繊維強度を、ＪＩＳ−Ｌ  １０９５法にしたがって測定した。また、これらの漂白均一性と風合いを、後記のとおり評価した。これらの結果および総合評価を、後記の表１、表２に併せて示す。
【００９７】
〔処理条件〕
（１）処理槽          ７０リットルタイプオーバーマイヤー（日阪製作所社製）
（２）浴比            １：１０
（３）処理対象        ２０番手単糸の綿糸、１個１ｋｇのチーズ状。処理槽内に７個の                      チーズを装填。
（４）使用水          イオン交換水（２５℃）
（５）循環液量        ３００リットル／分
【００９８】
〔漂白均一性〕
各実施例、比較例ごとに、処理槽内で異なる位置のチーズから取り出した糸によって１０枚のメリヤス生地（５０ｃｍ×５０ｃｍの正方形）を作製し、１０枚の漂白度にばらつきがないかどうかをモニター１０名の目視により評価させた。評価は、◎…非常に良好、○…良好、△…やや不良、×…不良の４段階評価とし、最も人数の多い評価を採用した。
【００９９】
〔風合い〕
モニター１０名に、上記と同様のメリヤス生地を触らせ、その手触りから風合いを官能評価させた。評価は、◎…非常に滑らか、○…滑らか、△…ふつう、×…悪い、の４段階評価とし、最も人数の多い評価を採用した。
【０１００】
【表１】
2008240224.tif 000003
【０１０１】
【表２】
2008240224.tif 000004
【０１０２】
〔実施例９〕
後記の表３に従うレサイプで、図６に示す工程に従い、一浴で連続的に一連の処理を行った。他の条件は、実施例１と同様にして、漂白繊維品を得た。
【０１０３】
〔実施例１０〕
基本的には、実施例６と同様にしたが、エジェクタの設定を調整することより、処理液中に混合するオゾンガスの気泡を、実施例６のものより大きくなるようにした。すなわち、実施例６の場合は、オゾンガスが微細気泡化して混合されたオゾン含有液は、上記微細気泡によって白濁した液となっていたが、この例では、肉眼で直径１〜２ｍｍの気泡が見える程度のものであった。
【０１０４】
〔実施例１１〕
基本的には、実施例６と同様にしたが、エジェクタの設定を調整することより、処理液中に混合するオゾンガスの気泡を、実施例６のものより小さくなるようにした。すなわち、肉眼では、実施例６の場合に比べ、オゾンガスの微細気泡がより微細になっていることは不明であるが、エジェクタによる減圧の程度を、実施例６のそれより大きくすることにより、気泡のさらなる微細化を達成したものである。
【０１０５】
これらの実施例品についても、前記と同様にして評価し、その結果を、下記の表３に、各例のレサイプと併せて示した。
【０１０６】
【表３】
2008240224.tif 000005
【０１０７】
上記の結果から、実施例１〜１１の生地は、いずれも概ね良好な結果が得られていることがわかる。
【０１０８】
つぎに、前記実施例６、７と比較例１の各加工仕上がり乾燥後の生地に対し、その経時的な黄変の程度を評価するために、何ら温度管理がなされていない室内に自然放置し、１日後、３０日後、６０日後の白度を、ＪＩＳ−１９９１法にしたがって測定した。また、１５０℃×１０分の強制乾熱処理を施した後の白度を、上記と同様にして測定した。これらの結果を、下記の表４に示す。
【０１０９】
【表４】
2008240224.tif 000006
【０１１０】
上記の結果から、実施例６、７の生地は、ともに、経時的な黄変が殆どなく、生地の白さが概ね保たれるが、人工的な黄変処理を行わず、オゾン分解処理も何ら行わなかった比較例１の生地は、経時的な黄変が著しく、実用に供することができない。
【０１１１】
〔実施例１２〜２１、比較例２〕
下記の処理条件（装置の基本的な構成は図７に従う）で、表５〜表７に示すレサイプにしたがって、オゾン漂白処理を施し、処理槽から取り出して乾燥することにより、漂白繊維品（綿織物）を得た。そして、このものの白度を、ＪＩＳ−１９９１法にしたがって測定するとともに、これらの漂白均一性と風合いを、後記のとおり評価した。これらの結果および総合評価を、後記の表５〜表７に併せて示す。
【０１１２】
〔処理条件〕
（１）処理槽          ５０ｋｇタイプサーキュラー（日阪製作所社製）
（２）浴比            １：１０
（３）処理対象        ５０ｋｇの綿織物
（４）使用水          イオン交換水（２５℃）
（５）循環液量        １０００リットル／分
【０１１３】
〔漂白均一性〕
各実施例、比較例ごとに、処理槽内より取り出した生地サンプル（５０ｃｍ×５０ｃｍの正方形）１０枚の漂白度にばらつきがないかどうかをモニター１０名の目視により評価させた。評価は、◎…非常に良好、○…良好、△…やや不良、×…不良の４段階評価とし、最も人数の多い評価を採用した。
【０１１４】
〔風合い〕
モニター１０名に、上記と同様のサンプル生地を触らせ、その手触りから風合いを官能評価させた。評価は、◎…非常に滑らか、○…滑らか、△…ふつう、×…悪い、の４段階評価とし、最も人数の多い評価を採用した。
【０１１５】
【表５】
2008240224.tif 000007
【０１１６】
【表６】
2008240224.tif 000008
【０１１７】
【表７】
2008240224.tif 000009
【０１１８】
上記の結果から、実施例１２〜２１の生地は、いずれも概ね良好な結果が得られているが、比較例２品は、実用上好ましくない評価項目があり、実施例品に比べて劣っていることがわかる。
【０１１９】
つぎに、前記実施例１３、１４、２１と比較例２の各加工仕上がり乾燥後の生地に対し、その経時的な黄変の程度を評価するために、何ら温度管理がなされていない室内に自然放置し、１日後、３０日後、６０日後の白度を、ＪＩＳ−１９９１法にしたがって測定した。また、１５０℃×１０分の強制乾熱処理を施した後の白度を、上記と同様にして測定した。これらの結果を、下記の表８に示す。
【０１２０】
【表８】
2008240224.tif 000010
上記の結果から、実施例１３、１４の生地は、ともに、経時的な黄変が殆どなく、生地の白さが概ね保たれるが、人工的な黄変処理を行わず、オゾン分解処理のうち還元処理をを行わなかった実施例２１の生地は、やや黄変の程度が大きかった。また、人工的な黄変もオゾン分解処理も、何ら行わなかった比較例２の生地は、経時的な黄変が著しく、実用に供することができない。
【０１２１】
〔実施例２２〜３１、比較例３〕
下記の処理条件（装置の基本的な構成は図８に従う）で、表９〜表１１に示すレサイプにしたがって、オゾン漂白処理を施し、処理槽から取り出して乾燥することにより、漂白繊維品（綿織物）を得た。そして、このものの白度を、ＪＩＳ−１９９１法にしたがって測定するとともに、これらの漂白均一性と風合いを、後記のとおり評価した。これらの結果および総合評価を、後記の表９〜表１１に併せて示す。
【０１２２】
〔処理条件〕
（１）処理槽          ３０ｋｇタイプワッシャー（日阪製作所社製）
（２）浴比            １：１０
（３）処理対象        ３０ｋｇの綿織物
（４）使用水          イオン交換水（２５℃）
（５）循環液量        ４５０リットル／分
【０１２３】
〔漂白均一性〕
各実施例、比較例ごとに、処理槽内より取り出した生地サンプル（５０ｃｍ×５０ｃｍの正方形）１０枚の漂白度にばらつきがないかどうかをモニター１０名の目視により評価させた。評価は、◎…非常に良好、○…良好、△…やや不良、×…不良の４段階評価とし、最も人数の多い評価を採用した。
【０１２４】
〔風合い〕
モニター１０名に、上記と同様のサンプル生地を触らせ、その手触りから風合いを官能評価させた。評価は、◎…非常に滑らか、○…滑らか、△…ふつう、×…悪い、の４段階評価とし、最も人数の多い評価を採用した。
【０１２５】
【表９】
2008240224.tif 000011
【０１２６】
【表１０】
2008240224.tif 000012
【０１２７】
【表１１】
2008240224.tif 000013
【０１２８】
上記の結果から、実施例２２〜３１の生地は、いずれも概ね良好な結果が得られているが、比較例３品は、実用上好ましくない評価項目があり、実施例品に比べて劣っていることがわかる。
【０１２９】
つぎに、前記実施例２３、２４、３１と比較例３の各加工仕上がり乾燥後の生地に対し、その経時的な黄変の程度を評価するために、何ら温度管理がなされていない室内に自然放置し、１日後、３０日後、６０日後の白度を、ＪＩＳ−１９９１法にしたがって測定した。また、１５０℃×１０分の強制乾熱処理を施した後の白度を、上記と同様にして測定した。これらの結果を、下記の表１２に示す。
【０１３０】
【表１２】
2008240224.tif 000014
上記の結果から、実施例２３、２４の生地は、ともに、経時的な黄変が殆どなく、生地の白さが概ね保たれるが、人工的な黄変処理を行わず、オゾン分解処理のうち還元処理をを行わなかった実施例３１の生地は、やや黄変の程度が大きかった。また、人工的な黄変もオゾン分解処理も、何ら行わなかった比較例３の生地は、経時的な黄変が著しく、実用に供することができない。
【図面の簡単な説明】
【０１３１】
【図１】本発明の一実施例に用いられる漂白装置の構成図である。
【図２】上記実施例の工程の一部を示す工程図である。
【図３】上記実施例の工程の他の一部を示す工程図である。
【図４】上記実施例の工程のさらに他の一部を示す工程図である。
【図５】本発明の他の実施例の工程の一部を示す工程図である。
【図６】本発明のさらに他の実施例の工程の一部を示す工程図である。
【図７】本発明の他の実施例に用いられる漂白装置の構成図である。
【図８】本発明のさらに他の実施例に用いられる漂白装置の構成図である。
【符号の説明】
【０１３２】
１  処理槽
４  繊維品
６  循環ポンプ
１５  オゾン発生器
Ｓ1 〜Ｓ3 オゾンセンサ
【図１】
2008240224.tif 000015
【図２】
2008240224.tif 000016
【図３】
2008240224.tif 000017
【図４】
2008240224.tif 000018
【図５】
2008240224.tif 000019
【図６】
2008240224.tif 000020
【図７】
2008240224.tif 000021
【図８】
2008240224.tif 000022
【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
天然繊維および再生繊維の少なくとも一方を主体とする繊維品に漂白処理を施して漂白繊維品を得る方法であって、開閉蓋付密封容器からなる処理槽内に、上記繊維品を装填する工程と、処理液を、上記処理槽に付設された強制循環配管を経由させて、処理槽内に装填された繊維品と接触させながら強制循環させることにより、繊維品に水分を付与する工程と、上記処理液中にオゾンガスを、エジェクタ、渦流ポンプ、ミキシングポンプのいずれかからなる気液混合吐出手段を介して微細気泡化した状態で供給してオゾン濃度１０〜３００ｇ／Ｎｍ3 のオゾン含有液とし、このオゾン含有液を、上記強制循環配管を経由させて、上記水分が付与された繊維品と接触させながら強制循環させることにより、繊維品に漂白処理を施す工程と、オゾン分解用薬液を、上記強制循環配管を経由させて上記漂白処理後の繊維品と接触させながら強制循環させることにより、オゾン分解を行う工程と、上記オゾン分解後の繊維品を洗浄処理する工程とを備え、上記繊維品の漂白処理工程において、処理槽内のオゾン濃度を経時的に計測し、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つようにしたことを特徴とする漂白繊維品の製法。
【請求項２】
天然繊維および再生繊維の少なくとも一方を主体とする繊維品に漂白処理を施して漂白繊維品を得る方法であって、開閉蓋付密封容器からなる処理槽内に、上記繊維品を装填する工程と、処理液を、上記処理槽に付設された強制循環配管を経由させて、処理槽内に装填された繊維品と接触させながら強制循環させることにより、繊維品に水分を付与する工程と、上記処理液中にオゾンガスを、エジェクタ、渦流ポンプ、ミキシングポンプのいずれかからなる気液混合吐出手段を介して微細気泡化した状態で供給してオゾン濃度１０〜３００ｇ／Ｎｍ3 のオゾン含有液とし、このオゾン含有液を、上記強制循環配管を経由させて、上記水分が付与された繊維品と接触させながら強制循環させることにより、繊維品に漂白処理を施す工程と、５０℃以上の加温水を、上記強制循環配管を経由させて上記漂白処理後の繊維品と接触させながら強制循環させることにより、上記繊維品に黄変処理を施す工程と、オゾン分解用薬液を、上記強制循環配管を経由させて上記黄変処理後の繊維品と接触させながら強制循環させることにより、繊維品の黄変除去とオゾン分解を同時に行う工程と、上記黄変除去とオゾン分解後の繊維品を洗浄処理する工程とを備え、上記繊維品の漂白処理工程において、処理槽内のオゾン濃度を経時的に計測し、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つようにしたことを特徴とする漂白繊維品の製法。
【請求項３】
上記処理槽として、繊維品をパッケージ化した状態で処理を行うパッケージ型の処理槽を用い、上記処理液、オゾン含有液、加温水、オゾン分解用薬液の各液を、パッケージ化された繊維品の内外を繰り返し通過させながら強制循環させることにより、繊維品と接触させるようにした請求項１または２記載の漂白繊維品の製法。
【請求項４】
上記処理槽として、繊維品をロープ状にして液流によって移送しながら処理を行う液流型の処理槽を用い、上記処理液、オゾン含有液、加温水、オゾン分解用薬液の各液を、ロープ状の繊維品を移送するための液流として用いながら強制循環させることにより、繊維品と接触させるようにした請求項１または２記載の漂白繊維品の製法。
【請求項５】
上記処理槽として、繊維品を回転ドラム内で動かしながら処理を行うワッシャー型の処理槽を用い、上記処理液、オゾン含有液、加温水、オゾン分解用薬液の各液を、上記回転ドラム内外を強制循環させることにより、繊維品と接触させるようにした請求項１または２記載の漂白繊維品の製法。
【請求項６】
上記強制循環によるオゾン含有液の流量が、対象とする繊維品１ｋｇ当たり１５〜９０リットル／分に設定されている請求項１〜５のいずれか一項に記載の漂白繊維品の製法。
【請求項７】
上記オゾン分解用薬液として、過酸化水素とアルカリ剤を主成分とする薬液を用いるようにした請求項１〜６のいずれか一項に記載の漂白繊維品の製法。
【請求項８】
上記オゾン分解用薬液として、まず、還元剤を主成分とする第１の薬液を用い、ついで過酸化水素とアルカリ剤を主成分とする第２の薬液を用いるようにした請求項１〜６のいずれか一項に記載の漂白繊維品の製法。
【請求項９】
上記処理槽外に排出されるオゾン含有の排液および処理槽外に排出されるオゾン含有の排ガスを、アルカリ水溶液貯槽内に導入し、排液および排ガスに含有されるオゾンを、上記アルカリ水溶液中で分解させるようにした請求項１〜８のいずれか一項に記載の漂白繊維品の製法。
【請求項１０】
上記アルカリ水溶液貯槽内の、液面から上に溜まるガスを捕集して２００℃以上に加熱された煙突内に導入し、上記捕集ガスに含有されるオゾンを、上記煙突内の熱により熱分解させるようにした請求項１〜９のいずれか一項に記載の漂白繊維品の製法。
【請求項１１】
請求項１記載の漂白繊維品の製法に用いる装置であって、開閉蓋付密封容器からなる処理槽と、上記処理槽内に繊維品を装填するための繊維品保持手段と、上記処理槽内に装填された繊維品に液体を導入するための液体導入手段と、上記処理槽内に導入された液体を上記処理槽内から取り出して再び処理槽内に導入することを繰り返し、処理槽内に装填された繊維品と液体とを接触させるための液体強制循環配管と、オゾン発生装置から発生するオゾンガスを、エジェクタ、渦流ポンプ、ミキシングポンプのいずれかからなる気液混合吐出手段を経由して、上記液体強制循環配管を循環する液体に微細気泡化した状態で供給して漂白処理のためのオゾン含有液を調製するオゾンガス供給手段と、同じく上記液体強制循環配管を循環する液体にオゾン分解用薬剤を投入して、オゾン分解を行うためのオゾン分解用薬液を調製する薬液調製手段と、上記処理槽内の液体を処理槽外に排出するための液体排出配管と、上記処理槽内のガスを処理槽外に排出するためのガス排出配管とを備え、上記処理槽には、処理槽内のオゾン濃度を経時的に計測するためのオゾン濃度センサが設けられ、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つ濃度制御が行われるようになっていることを特徴とする繊維品の漂白装置。
【請求項１２】
請求項２記載の漂白繊維品の製法に用いる装置であって、開閉蓋付密封容器からなる処理槽と、上記処理槽内に繊維品を装填するための繊維品保持手段と、上記処理槽内に装填された繊維品に液体を導入するための液体導入手段と、上記処理槽内に導入された液体を上記処理槽内から取り出して再び処理槽内に導入することを繰り返し、処理槽内に装填された繊維品と液体とを接触させるための液体強制循環配管と、オゾン発生装置から発生するオゾンガスを、エジェクタ、渦流ポンプ、ミキシングポンプのいずれかからなる気液混合吐出手段を経由して、上記液体強制循環配管を循環する液体に微細気泡化した状態で供給して漂白処理のためのオゾン含有液を調製するオゾンガス供給手段と、同じく上記液体強制循環配管を循環する液体を５０℃以上に加温して黄変処理のための加温水を調製する加温手段と、同じく上記液体強制循環配管を循環する液体にオゾン分解用薬剤を投入して、黄変除去とオゾン分解を同時に行うためのオゾン分解用薬液を調製する薬液調製手段と、上記処理槽内の液体を処理槽外に排出するための液体排出配管と、上記処理槽内のガスを処理槽外に排出するためのガス排出配管とを備え、上記処理槽には、処理槽内のオゾン濃度を経時的に計測するためのオゾン濃度センサが設けられ、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つ濃度制御が行われるようになっていることを特徴とする繊維品の漂白装置。
【請求項１３】
上記処理槽が、繊維品をパッケージ化した状態で処理を行うパッケージ型の処理槽であり、上記液体強制循環配管によって強制循環される液体が、パッケージ化された繊維品の内外を繰り返し通過して繊維品と接触するようになっている請求項１１または１２記載の繊維品の漂白装置。
【請求項１４】
上記処理槽が、繊維品をロープ状にして液流によって移送しながら処理を行う液流型の処理槽であり、上記液体強制循環配管によって強制循環される液体が、ロープ状の繊維品を移送するための液流として用いられて繊維品と接触するようになっている請求項１１または１２記載の繊維品の漂白装置。
【請求項１５】
上記処理槽が、繊維品を回転ドラム内で動かしながら処理を行うワッシャー型の処理槽であり、上記液体強制循環配管によって強制循環される液体が、上記回転ドラム内外を強制循環して繊維品と接触するようになっている請求項１１または１２記載の繊維品の漂白装置。
【請求項１６】
上記液体排出配管の先端およびガス排出配管の先端が、ともにアルカリ水溶液貯槽内に連通されるようになっている請求項１１〜１５のいずれか一項に記載の繊維品の漂白装置。
【請求項１７】
上記アルカリ水溶液貯槽内の、液面から上に溜まるガスが捕集され、２００℃以上に加熱された煙突内に送入されるようになっている請求項１１〜１６のいずれか一項に記載の繊維品の漂白装置。
【請求項１８】
上記処理槽の内周面と、オゾン含有液体およびオゾン含有ガスが流通する配管の内周面とが、ともにフッ素系樹脂によってコーティングされている請求項１１〜１７のいずれか一項に記載の繊維品の漂白装置。
【請求項１９】
請求項１〜１０のいずれかの製法によって得られることを特徴とする漂白繊維品。
【請求項２０】
製造後、２０〜３０℃の雰囲気下で６０日間放置後の白度（ＪＩＳ−１９９１法に従う）が、６０以上である請求項１９記載の漂白繊維品。
【手続補正２】
【補正対象書類名】明細書
【補正対象項目名】０００９
【補正方法】変更
【補正の内容】
【０００９】
上記の目的を達成するため、本発明は、天然繊維および再生繊維の少なくとも一方を主体とする繊維品に漂白処理を施して漂白繊維品を得る方法であって、開閉蓋付密封容器からなる処理槽内に、上記繊維品を装填する工程と、処理液を、上記処理槽に付設された強制循環配管を経由させて、処理槽内に装填された繊維品と接触させながら強制循環させることにより、繊維品に水分を付与する工程と、上記処理液中にオゾンガスを、エジェクタ、渦流ポンプ、ミキシングポンプのいずれかからなる気液混合吐出手段を介して微細気泡化した状態で供給してオゾン濃度１０〜３００ｇ／Ｎｍ3 のオゾン含有液とし、このオゾン含有液を、上記強制循環配管を経由させて、上記水分が付与された繊維品と接触させながら強制循環させることにより、繊維品に漂白処理を施す工程と、オゾン分解用薬液を、上記強制循環配管を経由させて上記漂白処理後の繊維品と接触させながら強制循環させることにより、オゾン分解を行う工程と、上記オゾン分解後の繊維品を洗浄処理する工程とを備え、上記繊維品の漂白処理工程において、処理槽内のオゾン濃度を経時的に計測し、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つようにした漂白繊維品の製法を第１の要旨とする。
【手続補正３】
【補正対象書類名】明細書
【補正対象項目名】００１０
【補正方法】変更
【補正の内容】
【００１０】
また、本発明は、天然繊維および再生繊維の少なくとも一方を主体とする繊維品に漂白処理を施して漂白繊維品を得る方法であって、開閉蓋付密封容器からなる処理槽内に、上記繊維品を装填する工程と、処理液を、上記処理槽に付設された強制循環配管を経由させて、処理槽内に装填された繊維品と接触させながら強制循環させることにより、繊維品に水分を付与する工程と、上記処理液中にオゾンガスを、エジェクタ、渦流ポンプ、ミキシングポンプのいずれかからなる気液混合吐出手段を介して微細気泡化した状態で供給してオゾン濃度１０〜３００ｇ／Ｎｍ3 のオゾン含有液とし、このオゾン含有液を、上記強制循環配管を経由させて、上記水分が付与された繊維品と接触させながら強制循環させることにより、繊維品に漂白処理を施す工程と、５０℃以上の加温水を、上記強制循環配管を経由させて上記漂白処理後の繊維品と接触させながら強制循環させることにより、上記繊維品に黄変処理を施す工程と、オゾン分解用薬液を、上記強制循環配管を経由させて上記黄変処理後の繊維品と接触させながら強制循環させることにより、繊維品の黄変除去とオゾン分解を同時に行う工程と、上記黄変除去とオゾン分解後の繊維品を洗浄処理する工程とを備え、上記繊維品の漂白処理工程において、処理槽内のオゾン濃度を経時的に計測し、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つようにした漂白繊維品の製法を第２の要旨とする。
【手続補正４】
【補正対象書類名】明細書
【補正対象項目名】００１２
【補正方法】変更
【補正の内容】
【００１２】
さらに、本発明は、それらのなかでも、特に、上記強制循環によるオゾン含有液の流量が、対象とする繊維品１ｋｇ当たり１５〜９０リットル／分に設定されている漂白繊維品の製法を第６の要旨とし、上記オゾン分解用薬液として、過酸化水素とアルカリ剤を主成分とする薬液を用いるようにした漂白繊維品の製法を第７の要旨とし、上記オゾン分解用薬液として、まず、還元剤を主成分とする第１の薬液を用い、ついで過酸化水素とアルカリ剤を主成分とする第２の薬液を用いるようにした漂白繊維品の製法を第８の要旨とする。
【手続補正５】
【補正対象書類名】明細書
【補正対象項目名】００１４
【補正方法】変更
【補正の内容】
【００１４】
また、本発明は、上記第１の要旨である漂白繊維品の製法に用いる装置であって、開閉蓋付密封容器からなる処理槽と、上記処理槽内に繊維品を装填するための繊維品保持手段と、上記処理槽内に装填された繊維品に液体を導入するための液体導入手段と、上記処理槽内に導入された液体を上記処理槽内から取り出して再び処理槽内に導入することを繰り返し、処理槽内に装填された繊維品と液体とを接触させるための液体強制循環配管と、オゾン発生装置から発生するオゾンガスを、エジェクタ、渦流ポンプ、ミキシングポンプのいずれかからなる気液混合吐出手段を経由して、上記液体強制循環配管を循環する液体に微細気泡化した状態で供給して漂白処理のためのオゾン含有液を調製するオゾンガス供給手段と、同じく上記液体強制循環配管を循環する液体にオゾン分解用薬剤を投入して、オゾン分解を行うためのオゾン分解用薬液を調製する薬液調製手段と、上記処理槽内の液体を処理槽外に排出するための液体排出配管と、上記処理槽内のガスを処理槽外に排出するためのガス排出配管とを備え、上記処理槽には、処理槽内のオゾン濃度を経時的に計測するためのオゾン濃度センサが設けられ、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つ濃度制御が行われるようになっている繊維品の漂白装置を第１１の要旨とする。
【手続補正６】
【補正対象書類名】明細書
【補正対象項目名】００１５
【補正方法】変更
【補正の内容】
【００１５】
さらに、本発明は、上記第２の要旨である漂白繊維品の製法に用いる装置であって、開閉蓋付密封容器からなる処理槽と、上記処理槽内に繊維品を装填するための繊維品保持手段と、上記処理槽内に装填された繊維品に液体を導入するための液体導入手段と、上記処理槽内に導入された液体を上記処理槽内から取り出して再び処理槽内に導入することを繰り返し、処理槽内に装填された繊維品と液体とを接触させるための液体強制循環配管と、オゾン発生装置から発生するオゾンガスを、エジェクタ、渦流ポンプ、ミキシングポンプのいずれかからなる気液混合吐出手段を経由して、上記液体強制循環配管を循環する液体に微細気泡化した状態で供給して漂白処理のためのオゾン含有液を調製するオゾンガス供給手段と、同じく上記液体強制循環配管を循環する液体を５０℃以上に加温して黄変処理のための加温水を調製する加温手段と、同じく上記液体強制循環配管を循環する液体にオゾン分解用薬剤を投入して、黄変除去とオゾン分解を同時に行うためのオゾン分解用薬液を調製する薬液調製手段と、上記処理槽内の液体を処理槽外に排出するための液体排出配管と、上記処理槽内のガスを処理槽外に排出するためのガス排出配管とを備え、上記処理槽には、処理槽内のオゾン濃度を経時的に計測するためのオゾン濃度センサが設けられ、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つ濃度制御が行われるようになっている繊維品の漂白装置を第１２の要旨とする。
【手続補正７】
【補正対象書類名】明細書
【補正対象項目名】００１７
【補正方法】変更
【補正の内容】
【００１７】
また、本発明は、それらのなかでも、特に、上記液体排出配管の先端およびガス排出配管の先端が、ともにアルカリ水溶液貯槽内に連通されるようになっている繊維品の漂白装置を第１６の要旨とする。
【手続補正８】
【補正対象書類名】明細書
【補正対象項目名】００１８
【補正方法】変更
【補正の内容】
【００１８】
さらに、本発明は、それらのなかでも、特に、上記アルカリ水溶液貯槽内の、液面から上に溜まるガスが捕集され、２００℃以上に加熱された煙突内に送入されるようになっている繊維品の漂白装置を第１７の要旨とし、上記処理槽の内周面と、オゾン含有液体およびオゾン含有ガスが流通する配管の内周面とが、ともにフッ素系樹脂によってコーティングされている繊維品の漂白装置を第１８の要旨とする。
【手続補正９】
【補正対象書類名】明細書
【補正対象項目名】００１９
【補正方法】変更
【補正の内容】
【００１９】
そして、本発明は、上記第１〜第１０の要旨のいずれかの製法によって得られる漂白繊維品を第１９の要旨とし、そのなかでも、特に、製造後、２０〜３０℃の雰囲気下で６０日間放置後の白度（ＪＩＳ−１９９１法に従う）が、６０以上である漂白繊維品を第２０の要旨とする。
【手続補正１０】
【補正対象書類名】明細書
【補正対象項目名】００６２
【補正方法】変更
【補正の内容】
【００６２】
つぎに、上記の例において、循環する常温水に、エジェクタ１２を介してオゾンガスを注入しているが、上記オゾンガスの注入量は、注入後のオゾン含有液におけるオゾン濃度が、１０〜３００ｇ／Ｎｍ3 となるよう設定することが必要で、特に５０〜１５０ｇ／Ｎｍ3となるよう設定することが好適である。すなわち、オゾン濃度が１０ｇ／Ｎｍ3 未満では、漂白処理が不充分となるおそれがあり、逆に、オゾン濃度が３００ｇ／Ｎｍ3 を超えると、繊維品４の繊維強度が低下するおそれがあるからである。
【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
天然繊維および再生繊維の少なくとも一方を主体とする繊維品に漂白処理を施して漂白繊維品を得る方法であって、開閉蓋付密封容器からなる処理槽内に、上記繊維品を装填する工程と、処理液を、上記処理槽に付設された強制循環配管を経由させて、処理槽内に装填された繊維品と接触させながら強制循環させることにより、繊維品に水分を付与する工程と、上記処理液中にオゾンガスを、エジェクタ、渦流ポンプ、ミキシングポンプのいずれかからなる気液混合吐出手段を介して微細気泡化した状態で供給してオゾン濃度１０〜３００ｇ／Ｎｍ3 のオゾン含有液とし、このオゾン含有液を、上記強制循環配管を経由させて、上記水分が付与された繊維品と接触させながら強制循環させることにより、繊維品に漂白処理を施す工程と、オゾン分解用薬液を、上記強制循環配管を経由させて上記漂白処理後の繊維品と接触させながら強制循環させることにより、オゾン分解を行う工程と、上記オゾン分解後の繊維品を洗浄処理する工程とを備え、上記繊維品の漂白処理工程において、処理槽内のオゾン濃度を経時的に計測し、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つようにしたことを特徴とする漂白繊維品の製法。
【請求項２】
天然繊維および再生繊維の少なくとも一方を主体とする繊維品に漂白処理を施して漂白繊維品を得る方法であって、開閉蓋付密封容器からなる処理槽内に、上記繊維品を装填する工程と、処理液を、上記処理槽に付設された強制循環配管を経由させて、処理槽内に装填された繊維品と接触させながら強制循環させることにより、繊維品に水分を付与する工程と、上記処理液中にオゾンガスを、エジェクタ、渦流ポンプ、ミキシングポンプのいずれかからなる気液混合吐出手段を介して微細気泡化した状態で供給してオゾン濃度１０〜３００ｇ／Ｎｍ3 のオゾン含有液とし、このオゾン含有液を、上記強制循環配管を経由させて、上記水分が付与された繊維品と接触させながら強制循環させることにより、繊維品に漂白処理を施す工程と、５０℃以上の加温水を、上記強制循環配管を経由させて上記漂白処理後の繊維品と接触させながら強制循環させることにより、上記繊維品に黄変処理を施す工程と、オゾン分解用薬液を、上記強制循環配管を経由させて上記黄変処理後の繊維品と接触させながら強制循環させることにより、繊維品の黄変除去とオゾン分解を同時に行う工程と、上記黄変除去とオゾン分解後の繊維品を洗浄処理する工程とを備え、上記繊維品の漂白処理工程において、処理槽内のオゾン濃度を経時的に計測し、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つようにしたことを特徴とする漂白繊維品の製法。
【請求項３】
上記処理槽として、繊維品をパッケージ化した状態で処理を行うパッケージ型の処理槽を用い、上記処理液、オゾン含有液、加温水、オゾン分解用薬液の各液を、パッケージ化された繊維品の内外を繰り返し通過させながら強制循環させることにより、繊維品と接触させるようにした請求項１または２記載の漂白繊維品の製法。
【請求項４】
上記処理槽として、繊維品をロープ状にして液流によって移送しながら処理を行う液流型の処理槽を用い、上記処理液、オゾン含有液、加温水、オゾン分解用薬液の各液を、ロープ状の繊維品を移送するための液流として用いながら強制循環させることにより、繊維品と接触させるようにした請求項１または２記載の漂白繊維品の製法。
【請求項５】
上記処理槽として、繊維品を回転ドラム内で動かしながら処理を行うワッシャー型の処理槽を用い、上記処理液、オゾン含有液、加温水、オゾン分解用薬液の各液を、上記回転ドラム内外を強制循環させることにより、繊維品と接触させるようにした請求項１または２記載の漂白繊維品の製法。
【請求項６】
上記強制循環によるオゾン含有液の流量が、対象とする繊維品１ｋｇ当たり１５〜９０リットル／分に設定されている請求項１〜５のいずれか一項に記載の漂白繊維品の製法。
【請求項７】
上記オゾン分解用薬液として、過酸化水素とアルカリ剤を主成分とする薬液を用いるようにした請求項１〜６のいずれか一項に記載の漂白繊維品の製法。
【請求項８】
上記オゾン分解用薬液として、まず、還元剤を主成分とする第１の薬液を用い、ついで過酸化水素とアルカリ剤を主成分とする第２の薬液を用いるようにした請求項１〜６のいずれか一項に記載の漂白繊維品の製法。
【請求項９】
上記処理槽外に排出されるオゾン含有の排液および処理槽外に排出されるオゾン含有の排ガスを、アルカリ水溶液貯槽内に導入し、排液および排ガスに含有されるオゾンを、上記アルカリ水溶液中で分解させるようにした請求項１〜８のいずれか一項に記載の漂白繊維品の製法。
【請求項１０】
上記アルカリ水溶液貯槽内の、液面から上に溜まるガスを捕集して２００℃以上に加熱された煙突内に導入し、上記捕集ガスに含有されるオゾンを、上記煙突内の熱により熱分解させるようにした請求項１〜９のいずれか一項に記載の漂白繊維品の製法。
【請求項１１】
請求項１記載の漂白繊維品の製法に用いる装置であって、開閉蓋付密封容器からなる処理槽と、上記処理槽内に繊維品を装填するための繊維品保持手段と、上記処理槽内に装填された繊維品に液体を導入するための液体導入手段と、上記処理槽内に導入された液体を上記処理槽内から取り出して再び処理槽内に導入することを繰り返し、処理槽内に装填された繊維品と液体とを接触させるための液体強制循環配管と、オゾン発生装置から発生するオゾンガスを、エジェクタ、渦流ポンプ、ミキシングポンプのいずれかからなる気液混合吐出手段を経由して、上記液体強制循環配管を循環する液体に微細気泡化した状態で供給して漂白処理のためのオゾン含有液を調製するオゾンガス供給手段と、同じく上記液体強制循環配管を循環する液体にオゾン分解用薬剤を投入して、オゾン分解を行うためのオゾン分解用薬液を調製する薬液調製手段と、上記処理槽内の液体を処理槽外に排出するための液体排出配管と、上記処理槽内のガスを処理槽外に排出するためのガス排出配管とを備え、上記処理槽には、処理槽内のオゾン濃度を経時的に計測するためのオゾン濃度センサが設けられ、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つ濃度制御が行われるようになっていることを特徴とする繊維品の漂白装置。
【請求項１２】
請求項２記載の漂白繊維品の製法に用いる装置であって、開閉蓋付密封容器からなる処理槽と、上記処理槽内に繊維品を装填するための繊維品保持手段と、上記処理槽内に装填された繊維品に液体を導入するための液体導入手段と、上記処理槽内に導入された液体を上記処理槽内から取り出して再び処理槽内に導入することを繰り返し、処理槽内に装填された繊維品と液体とを接触させるための液体強制循環配管と、オゾン発生装置から発生するオゾンガスを、エジェクタ、渦流ポンプ、ミキシングポンプのいずれかからなる気液混合吐出手段を経由して、上記液体強制循環配管を循環する液体に微細気泡化した状態で供給して漂白処理のためのオゾン含有液を調製するオゾンガス供給手段と、同じく上記液体強制循環配管を循環する液体を５０℃以上に加温して黄変処理のための加温水を調製する加温手段と、同じく上記液体強制循環配管を循環する液体にオゾン分解用薬剤を投入して、黄変除去とオゾン分解を同時に行うためのオゾン分解用薬液を調製する薬液調製手段と、上記処理槽内の液体を処理槽外に排出するための液体排出配管と、上記処理槽内のガスを処理槽外に排出するためのガス排出配管とを備え、上記処理槽には、処理槽内のオゾン濃度を経時的に計測するためのオゾン濃度センサが設けられ、測定濃度が設定範囲を下回る場合には、上記オゾンガス供給量を増量し、測定濃度が所定範囲を上回る場合には、上記オゾンガス供給量を減量することにより、処理槽内のオゾン濃度を一定に保つ濃度制御が行われるようになっていることを特徴とする繊維品の漂白装置。
【請求項１３】
上記処理槽が、繊維品をパッケージ化した状態で処理を行うパッケージ型の処理槽であり、上記液体強制循環配管によって強制循環される液体が、パッケージ化された繊維品の内外を繰り返し通過して繊維品と接触するようになっている請求項１１または１２記載の繊維品の漂白装置。
【請求項１４】
上記処理槽が、繊維品をロープ状にして液流によって移送しながら処理を行う液流型の処理槽であり、上記液体強制循環配管によって強制循環される液体が、ロープ状の繊維品を移送するための液流として用いられて繊維品と接触するようになっている請求項１１または１２記載の繊維品の漂白装置。
【請求項１５】
上記処理槽が、繊維品を回転ドラム内で動かしながら処理を行うワッシャー型の処理槽であり、上記液体強制循環配管によって強制循環される液体が、上記回転ドラム内外を強制循環して繊維品と接触するようになっている請求項１１または１２記載の繊維品の漂白装置。
【請求項１６】
上記液体排出配管の先端およびガス排出配管の先端が、ともにアルカリ水溶液貯槽内に連通されるようになっている請求項１１〜１５のいずれか一項に記載の繊維品の漂白装置。
【請求項１７】
上記アルカリ水溶液貯槽内の、液面から上に溜まるガスが捕集され、２００℃以上に加熱された煙突内に送入されるようになっている請求項１１〜１６のいずれか一項に記載の繊維品の漂白装置。
【請求項１８】
上記処理槽の内周面と、オゾン含有液体およびオゾン含有ガスが流通する配管の内周面とが、ともにフッ素系樹脂によってコーティングされている請求項１１〜１７のいずれか一項に記載の繊維品の漂白装置。
【手続補正３】
【補正対象書類名】明細書
【補正対象項目名】０００１
【補正方法】変更
【補正の内容】
【０００１】
本発明は、布帛等の繊維品を漂白して得られる漂白繊維品の製法およびそれに用いる装置に関するものである。
【手続補正４】
【補正対象書類名】明細書
【補正対象項目名】０００８
【補正方法】変更
【補正の内容】
【０００８】
本発明は、このような事情に鑑みなされたもので、繊維品を、オゾン含有液を用いて効率よく処理することができ、しかも得られた漂白繊維品が経時的に黄変しにくい、優れた漂白処理繊維品の製法およびそれに用いる装置の提供を、その目的とする。
【手続補正５】
【補正対象書類名】明細書
【補正対象項目名】００１８
【補正方法】変更
【補正の内容】
【００１８】
さらに、本発明は、それらのなかでも、特に、上記アルカリ水溶液貯槽内の、液面から上に溜まるガスが捕集され、２００℃以上に加熱された煙突内に送入されるようになっている繊維品の漂白装置を第１７の要旨とする。
【手続補正６】
【補正対象書類名】明細書
【補正対象項目名】００１９
【補正方法】変更
【補正の内容】
【００１９】
そして、本発明は、それらのなかでも、特に、上記処理槽の内周面と、オゾン含有液体およびオゾン含有ガスが流通する配管の内周面とが、ともにフッ素系樹脂によってコーティングされている繊維品の漂白装置を第１８の要旨とする。
【手続補正７】
【補正対象書類名】明細書
【補正対象項目名】００２１
【補正方法】変更
【補正の内容】
【００２１】
そして、上記処理を、密封容器内で行うため、未分解のオゾンが周囲に漏れることがなく、作業環境を完全に保つことができる。さらに、繊維品に対し、比較的穏やかな条件で漂白処理を行うため、繊維品の劣化が少なく、滑らかな風合いの漂白繊維品を得ることができるという利点を有する。しかも、漂白処理に至る過程で、繊維品と空気との接触等によって繊維品に黄変物質が生じた場合であっても、漂白処理後の、オゾン分解用薬液によるオゾン分解処理工程において、オゾン分解を行うと同時に、上記黄変物質を除去することができるため、得られる漂白繊維品が、経時的に黄変しにくいという優れた効果を奏する。
【手続補正８】
【補正対象書類名】明細書
【補正対象項目名】００２２
【補正方法】変更
【補正の内容】
【００２２】
なお、上記黄変原因物質が、最終製品に残留したり、製品化後、経時的に増加することを防止するために、上記オゾン漂白処理後オゾン分解処理前に、加温水を用いて人工的に黄変処理を行い、生じた黄変を、オゾン分解処理時に除去することにより、より充分な形で、繊維品の経時的な黄変を防止することができる。
【手続補正９】
【補正対象書類名】明細書
【補正対象項目名】００２３
【補正方法】変更
【補正の内容】
【００２３】
また、本発明の繊維品の漂白装置は、従来のパッケージ処理装置、液流処理装置、ワッシャー型処理槽等に簡単な改良を追加するだけで得ることができるため、設備コストを低く抑えることができる。そして、未分解のオゾンを周囲に漏らすことなく安全に、経時的に黄変しにくい、あるいは黄変することのない、優れた風合いの漂白繊維品を製造することができる。  
【手続補正１０】
【補正対象書類名】明細書
【補正対象項目名】００８８
【補正方法】変更
【補正の内容】
【００８８】
なお、上記自然発生した黄変物質の除去に有効なオゾン分解用薬液としては、例えば前記〔レサイプＢ〕として示したような、亜硫酸ナトリウムと水酸化ナトリウムを主成分とする還元処理用の第１の薬液を用い、つぎに、例えば前記〔レサイプＡ〕として示したような、過酸化水素と水酸化ナトリウムを主成分とする第２の薬液を用いることが、それ以降の黄変を防止する上で、好適である。